(57)【要約】【課題】  ガイドシャフトの保持機構が占めるシャーシ上の占有スペースを可及的に少く抑えて装置のコンパクト化並びに小型化を可能とする。【解決手段】  支持部１０は、ガイドシャフト４のラジアル方向の動きを規制するガイド壁１２Ａ,１２Ｂと、ガイドシャフト４のスラスト方向の動きを規制するストッパ部１３と、ガイドシャフト４の抜け出しを規制するフック部１４とを一体成形して構成される。コイルバネ２１をガイド壁１２Ａ,１２Ｂとストッパ部１３との間に配置したフック部１４と対向する位置に設ける。これによって、支持部１０、コイルバネ２１を含むガイドシャフト４の保持機構２５をコンパクトに纏め、シャーシ１における保持機構２５の占有スペースを低減する。【選択図】  図１
2006155781.tif 000002
【特許請求の範囲】
【請求項１】
移動体を案内するガイドシャフトと、このガイドシャフトの端部をシャーシに対して高さ調整自在に保持する保持機構とを備え、該保持機構は、前記ガイドシャフトのラジアル方向の動きを規制する一対のガイド壁と、ガイドシャフトのスラスト方向の動きを規制するストッパ部と、前記ガイド壁間に挿入されたガイドシャフトの抜け出しを規制する可撓性を有するフック部とを一体形成した支持部と、前記ガイドシャフトに突き当てるように前記シャーシに螺着する調整ねじと、前記シャーシと前記ガイドシャフトとの間に架設して該ガイドシャフトを前記調整ねじに押圧する方向に付勢する付勢部材とで構成するとともに、前記フック部を前記ガイド壁とストッパ部との間に形成し、このフック部と対向させて前記付勢部材を配置したことを特徴とするガイドシャフト保持機構。
【請求項２】
前記付勢部材がコイルバネであるとともに、このコイルバネの両端に前記ガイドシャフトに通す掛け止め部と前記シャーシに形成する係止片に引っ掛ける掛け止め部を形成するとともに、前記フック部に前記掛け止め部を受け入れる案内溝を設けたことを特徴とする請求項1記載のガイドシャフト保持機構。
【請求項３】
請求項１又は２記載のガイドシャフト保持機構を備え、記憶媒体に対して情報の読み込み及び／又は書き込みを行うピックアップの移動を前記ガイドシャフトで案内し、前記ピックアップは、前記記憶媒体への情報の記録及び／又は前記記憶媒体に記録された情報の再生を行う機能を有するガイドシャフト保持機構を備えたディスク装置。
【発明の詳細な説明】
【技術分野】
【０００１】
本発明は、ガイドシャフト保持機構及びそのガイドシャフト保持機構を備えたディスク装置に係り、特に光ディスクなどの記憶媒体への情報の記録及び／又は記憶媒体に記録された情報の再生を行うピックアップを平行移動させるガイドシャフトの保持機構及びそのガイドシャフト保持機構を備えたディスク装置に関する。
【背景技術】
【０００２】
例えば、ディスク装置においては、ピックアップが備えられており、このピックアップは、シャーシに固定した一対のガイドシャフトに沿って光ディスクの半径方向に平行移動して光ディスクへの情報の記録及び／又は光ディスクに記録された情報の再生を行うようにしている。このような、ピックアップ用のガイドシャフトをシャーシに固定するための技術として従来から種々の構造のものが提案され、例えば、特許文献１ではシャーシから基準片と押え片を折曲形成し、基準片にガイドシャフトの端部を突き当て状態で押え片を捻ってガイドシャフトの両端を保持するようにした技術が開示され、また、特許文献２では、シャーシに切り起しを設け、この切り起しにガイドシャフトの周面を突き当てるとともに、切り起しにガイドシャフトを押し付けるねじをシャーシに螺着し、このねじと切り起しとでガイドシャフトを保持するようにした技術が開示されている。
【０００３】
【特許文献１】実開平２−４６９６７号公報
【特許文献２】特開平７−５７４０４号公報
【発明の開示】
【発明が解決しようとする課題】
【０００４】
しかし、前述したガイドシャフト保持機構は、単にピックアップを組付けるシャーシに対してガイドシャフトを位置決め保持するものであるが、ディスクドライブに用いられるピックアップ用ガイドシャフトは、高さ方向の精度が重要であり、この高さ方向の位置が適当な値に調整されていないと、光ディスクの読み取り／書き込み面または光ディスクを載置して回転させるためのターンテーブル面に対して、光ピックアップから出射されるレーザビームの光軸が傾いたり、焦点が合わない等の種々の問題が発生する。このため、この種のディスクのピックアップ用ガイドシャフトは高さ調整可能な構造が好ましい。このような、ガイドシャフトの高さを調整する構造として例えば図５に示すようなガイドシャフトの高さ調整機構が実用化されている。
【０００５】
図５を参照して従来のガイドシャフトの高さ調整機構について説明すると、ピックアップ（図示せず）の移動を案内するようガイドシャフト１００の端部を支持する支持部１０１がピックアップを組み込むシャーシ１０２にアウトサート成形などによって固定されている。この支持部１０１は、ガイドシャフト１００のラジアル方向の動きを規制する一対のガイド壁１０３と、このガイド壁１０３に対して直交する方向に立設して前記ガイドシャフト１００のスラスト方向の動きを規制する可撓性を有するストッパ部１０４と、前記ガイド壁１０３間に挿入されたガイドシャフト１００の抜け出しを規制するために前記ストッパ部１０４の上端部に一体形成されたフック部１０５とを一体成形した樹脂製の成形品である。また、前記シャーシ１０２には、前記ガイド壁１０３間に位置して調整ねじ１０６が螺着されるとともに、シャーシ１０２には前記支持部１０１の側部に位置してコイルバネ１０７を引っ掛けるための係止片１０８を有する開口孔１０９が打ち抜き加工によって形成され、その係止片１０８とガイドシャフト１００との間に前記コイルバネ１０７を掛け渡すことによって、ガイド壁１０３間に挿入したガイドシャフト１００を調整ねじ１０６に押し付けている。
【０００６】
以上のように構成されるガイドシャフト１００の保持機構は、調整ねじ１０６を回転させることにより、調整ねじ１０６に突き当てたガイドシャフト１００を上または下向きに移動させることによって、ガイドシャフト１００の高さ方向の調整を行うようにしている。しかし、図５に示すガイドシャフト１００の保持機構は、調整ねじ１０６にガイドシャフト１００を押し付けるためのコイルバネ１０７及びそのコイルバネ１０７を取り付けるための開口孔１０８が支持部１０１と離れた位置に配置されているため、シャーシ１０２に支持部１０１の他にコイルバネ１０７や開口孔１０８の取付けスペースが必要となり、支持部１０１を含むコイルバネ１０７や開口孔１０８の取付けスペースが増大し、これらの取付けスペースには他の構成部品を取り付けることができない。このため、支持部１０１の近傍に他の構成部品が取り付けられている場合、その構成部品を避けてコイルバネ１０７や開口孔１０８の取付けスペースを確保する必要があり、ガイドシャフト１００を必要以上に長く形成するなど、ディスク装置のコンパクト化並びに小型化には不利である。
【０００７】
そこで、本発明は、ガイドシャフトの保持機構が占めるシャーシ上の占有スペースを可及的に少く抑えて装置のコンパクト化並びに小型化を可能とするガイドシャフト保持機構及びそのガイドシャフト保持機構を備えたディスク装置を提供することを目的とする。
【課題を解決するための手段】
【０００８】
本発明の請求項１に係るガイドシャフト保持機構は、移動体を案内するガイドシャフトと、このガイドシャフトの端部をシャーシに対して高さ調整自在に保持する保持機構とを備え、該保持機構は、前記ガイドシャフトのラジアル方向の動きを規制する一対のガイド壁と、ガイドシャフトのスラスト方向の動きを規制するストッパ部と、前記ガイド壁間に挿入されたガイドシャフトの抜け出しを規制する可撓性を有するフック部とを一体形成した支持部と、前記ガイドシャフトに突き当てるように前記シャーシに螺着する調整ねじと、前記シャーシと前記ガイドシャフトとの間に架設して該ガイドシャフトを前記調整ねじに押圧する方向に付勢する付勢部材とで構成するとともに、前記フック部を前記ガイド壁とストッパ部との間に形成し、このフック部と対向させて前記付勢部材を配置したことを特徴とする。
【０００９】
請求項１の構成によれば、ガイドシャフトは左右のガイド壁の内面に挟まれてラジアル方向の動きが規制される。また、ガイドシャフトは、ガイドシャフトとシャーシの間に架設した付勢部材によって調整ねじに押し付けられ、フック部と調整ねじによってガイドシャフトの上下方向の動きが規制される。これにより、調整ねじを回すことによって、ガイドシャフトの高さ及び傾きを調整することができる。また、支持部は、フック部がガイド壁とストッパ部との間に配置され、そのフック部と対向する位置に付勢部材を設けることによって、支持部、付勢部材を含むガイドシャフトの保持機構をコンパクトに纏めることが可能となり、周辺機器などによって取付けスペースに余裕の無い位置にも支持部を取り付けることが可能となる。
【００１０】
本発明の請求項２に係るガイドシャフト保持機構は、前記付勢部材がコイルバネであるとともに、このコイルバネの両端に前記ガイドシャフトに通す掛け止め部と前記シャーシに形成する係止片に引っ掛ける掛け止め部を形成するとともに、前記フック部に前記掛け止め部を受け入れる案内溝を設けたことを特徴とする。
【００１１】
請求項２の構成によれば、ガイドシャフトをガイド壁の間に挿入する際、フック部の案内溝にコイルバネの掛け止め部を合わせることで、コイルバネをフック部と対向した位置に正確に合わせることができるとともに、フック部の弾性力に抗してガイドシャフトを下方に押し込む際、案内溝内にコイルバネの掛け止め部が配置され、コイルバネの掛け止め部にはフック部からの押圧力が作用しない。
【００１２】
本発明の請求項３に係るガイドシャフト保持機構を備えたディスク装置は、請求項１又は２記載のガイドシャフト保持機構を備え、記憶媒体に対して情報の読み込み及び／又は書き込みを行うピックアップの移動を前記ガイドシャフトで案内し、前記ピックアップは、前記記憶媒体への情報の記録及び／又は前記記憶媒体に記録された情報の再生を行う機能を有することを特徴とする。
【００１３】
請求項３の構成によれば、ディスク装置の組み立てラインなどにおいては、ターンテーブルやピックアップ等の組み付けが終了した後、調整ねじによってレーザ光の角度が規定値となるようにディスクに対するガイドシャフトの高さ及び傾きを調整することができる。
【発明の効果】
【００１４】
本発明の請求項１に係るガイドシャフト保持機構によれば、移動体を案内するガイドシャフトと、このガイドシャフトの端部をシャーシに対して高さ調整自在に保持する保持機構とを備え、該保持機構は、前記ガイドシャフトのラジアル方向の動きを規制する一対のガイド壁と、ガイドシャフトのスラスト方向の動きを規制するストッパ部と、前記ガイド壁間に挿入されたガイドシャフトの抜け出しを規制する可撓性を有するフック部とを一体形成した支持部と、前記ガイドシャフトに突き当てるように前記シャーシに螺着する調整ねじと、前記シャーシと前記ガイドシャフトとの間に架設して該ガイドシャフトを前記調整ねじに押圧する方向に付勢する付勢部材とで構成するとともに、前記フック部を前記ガイド壁とストッパ部との間に形成し、このフック部と対向させて前記付勢部材を配置したものであるから、支持部、付勢部材を含むガイドシャフトの保持機構をコンパクトに纏めることができ、取付けスペースに余裕の無い位置にも支持部を取り付けることが可能となり、周辺機器を避けて支持部を配置する必要もないことから、ガイドシャフトの長さを伸ばすなどといった対策も不要である。また、シャーシにおける保持機構の占有スペースを低減することができるため、装置全体を小型化することが可能となる。
【００１５】
本発明の請求項２に係るガイドシャフト保持機構によれば、前記付勢部材がコイルバネであるとともに、このコイルバネの両端に前記ガイドシャフトに通す掛け止め部と前記シャーシに形成する係止片に引っ掛ける掛け止め部を形成するとともに、前記フック部に前記掛け止め部を受け入れる案内溝を設けたものであるから、ガイドシャフトをガイド壁の間に挿入する際、フック部の案内溝にコイルバネの掛け止め部を合わせることで、コイルバネをフック部と対向した位置に正確に合わせることができるとともに、フック部の弾性力に抗してガイドシャフトを下方に押し込む際、案内溝内にコイルバネの掛け止め部が配置され、コイルバネの掛け止め部にはフック部からの押圧力が作用しないため、コイルバネの掛け止め部がずれてガイドシャフトから外れる心配もなく、効率的にガイドシャフトを組付けることができる。
【００１６】
本発明の請求項３に係るガイドシャフト保持機構を備えたディスク装置によれば、請求項１又は２記載のガイドシャフト保持機構を備え、記憶媒体に対して情報の読み込み及び／又は書き込みを行うピックアップの移動を前記ガイドシャフトで案内し、前記ピックアップは、前記記憶媒体への情報の記録及び／又は前記記憶媒体に記録された情報の再生を行う機能を有するものであるから、調整ねじによってレーザ光の角度が規定値となるようにディスクに対するガイドシャフトの高さ及び傾きを簡単に調整することができるとともに、ピックアップの移動を案内するガイドシャフトを組み込む際、シャーシはピックアップを移動するモータや、そのモータの回転をピックアップに伝達する複数のギア群あるいはこれらの制御用回路基板などの構成部品が集約的に配置されている。このため、支持部、付勢部材を含むガイドシャフトの保持機構をコンパクトに纏めてシャーシにおける保持機構の占有スペースを低減することは、装置のコンパクト化並びに小型化を図る上で有効である。
【発明を実施するための最良の形態】
【００１７】
以下、本発明に係るガイドシャフト保持機構を備えたディスク装置を実施するための最良の形態の一例について図を参照しながら説明するが、本発明は本実施の形態にのみ限定されるべきものではない。
【００１８】
図１は本発明のガイドシャフト保持機構を示す斜視図、図２はガイドシャフト保持機構の平面図、図３は図２のＡ−Ａ線断面図、図４はガイドシャフトを組み込んだ全体平面図である。
【００１９】
同図で示すように、１は金属性薄板を折曲して形成されるディスク装置のピックアップ３を組み込むシャーシであり、このシャーシ１にはピックアップレンズ２を備えた前記ピックアップ３をガイドするための左右一対のガイドシャフト４,５が組み付けられている。このガイドシャフト４,５の両端部を保持するために、前記シャーシ１には合成樹脂から成る保持部６と後述する支持部とがアウトサート成形などによって一体的に形成されている。ガイドシャフト４,５の一端を支持する保持部６は単にガイドシャフト４,５の端部を位置決めするものあり、詳細な説明は省略するが、ガイドシャフト４,５の一端部を保持する係合溝６Ａを有している。また、本実施例においては、図４に示すように、一方のガイドシャフト５がほぼシャーシ１の一端外縁に沿って配置され、他方のガイドシャフト４は、前記ピックアップ３を駆動するモータ７Ａや該モータ７Ａの回転をピックアップ３に伝える複数のギア７などからなる駆動系ユニット８の近傍に組み付けられており、前記シャーシ１の一端外縁に沿って配置されたガイドシャフト５の近傍には、他の構成部品などが組み込まれないため、比較的スペース的に余裕がある。このため、ガイドシャフト５の他端部は、図５の従来例で示した支持部１０１によって支持し、その詳細については省略する。そして、ガイドシャフト４については、前述した通り、ガイドシャフト４の近傍にモータ７Ａやギア７などの駆動系ユニット８が組付けられていることから、支持部１０１と異なる支持部１０によって支持している。
【００２０】
前記支持部１０は、基台部１１と、この基台部１１の両側に相対向するように立設してガイドシャフト４のラジアル方向の動きを規制する一対のガイド壁１２Ａ,１２Ｂと、基台部１１の後端部に立設してガイドシャフト４のスラスト方向の動きを規制するストッパ部１３と、前記ガイド壁１２Ａ,１２Ｂ間に挿入されたガイドシャフト４の抜け出しを規制する可撓性を有するフック部１４とを一体成形した樹脂の成形品であって前記シャーシ１にアウトサート成形などの適宜手段によって一体化されている。前記フック部１４は、前記ガイド壁１２Ａ,１２Ｂ間に前記シャフト４を挿入する際、シャフト４と当接するテーパ面１５を有し、そのテーパ面１５に後述する付勢手段を受け入れる案内溝１６を形成している。また、フック部１４は、前記ガイド壁１２Ａとストッパ部１３との中間部に位置し、そのガイド壁１２Ａとフック部１４及びフック部１４とストッパ部１３との間には、前記シャフト４の挿入時にテーパ面１５とシャフト４とが当接した際、フック部１４を外側に撓むように弾性変形させるためのスリット１７が形成されている。
【００２１】
前記シャーシ１には前記ガイドシャフト４の高さを調整するための調整ねじ２０が前記ガイド壁１２Ａ,１２Ｂの間に位置するように前記基台部１１を貫通して螺着され、その先端にガイドシャフト４が載置される。また、前記ガイド壁１２Ａ,１２Ｂの間に挿入されるガイドシャフト４は、該ガイドシャフト４とシャーシ１との間に掛け渡した付勢手段たるコイルバネ２１によって常時、前記調整ねじ２０に押し付けられている。このガイドシャフト４を付勢するコイルバネ２１は両端にリング状の掛け止め部２１Ａを有し、その一方の掛け止め部２１Ａを引っ掛けるために、前記シャーシ１には、係止片２２を有する開口部２３を打ち抜き加工によって形成されている。そして、コイルバネ２１の一方の掛け止め部２１Ａをガイドシャフト４に通し、他方の掛け止め部２１Ａをシャーシ１に形成した係止片２２に係止することによって、コイルバネ２１を前記フック部１４と対向するようにガイドシャフト４とシャーシ１との間に架設している。そして、これらガイドシャフト４を位置決めする支持部１０とガイドシャフト４の高さを調整する調整ねじ２０、この調整ねじ２０に前記ガイドシャフト４を押し付けるコイルバネ２１によってガイドシャフト４の保持機構２５を構成している。
【００２２】
次に、ガイドシャフト４,５の組付け手順について説明すると、先ずガイドシャフト４,５の一端を保持部６の係合溝６Ａに挿入した状態でガイドシャフト４,５の他端側を支持部１０,１０１によって保持する。ここで、ガイドシャフト５側の支持部１０１については省略し、主にガイドシャフト４と支持部１０との組付け手順について説明する。まず、ガイドシャフト４を予め係止片２２に係止したコイルバネ２１の掛け止め部２１Ａに通した状態でガイドシャフト４の一端を保持部６の係合溝６Ａに挿入し、その保持部６を支点としてガイドシャフト４の他端をフック部１４のテーパ面１５に当接させ、さらに、ガイドシャフト４をガイド壁１２Ａ,１２Ｂの間に挿入する。この際、テーパ面１５に形成する案内溝１６にコイルバネ２１の掛け止め部２１Ａを合わせることで、コイルバネ２１をフック部１４と対向した位置に正確に合わせることができるとともに、フック部１４の弾性力に抗してガイドシャフト４をフック部１４のテーパ面１５に沿わせて下方に押し込む際、案内溝１６内にコイルバネ２１の掛け止め部２１Ａが配置され、これにより、コイルバネ２１の掛け止め部２１Ａにはフック部１４からの押圧力が作用しないため、コイルバネ２１の掛け止め部２１Ａがずれてコイルバネ２１から外れることなく、効率的にガイドシャフト４を組付けることができる。このようにして、フック部１４の弾性力に抗してガイドシャフト４をフック部１４のテーパ面１５に沿わせて下方に押し込むことによって、ガイドシャフト４がフック部１４を乗り越えると、フック部１４自体の弾性力によってフック部１４が復帰する。これにより、ガイドシャフト４は左右のガイド壁１２Ａ,１２Ｂの内面に挟まれてラジアル方向の動きが規制される。また、ガイドシャフト４は、ガイドシャフト４とシャーシ１の間に架設したコイルバネ２１によってガイド壁１２Ａ,１２Ｂ間に螺着した調整ねじ２０に押し付けられ、さらに、復帰したフック部１４と調整ねじ２０によってガイドシャフト４の上下方向の動きが規制される。これにより、調整ねじ２０を回して、ディスク装置の組み立てラインなどにおいては、ターンテーブル及びピックアップ３等の組み付けが終了した後、調整ねじ２０によってレーザ光の角度が規定値となるようにディスクに対するガイドシャフト４の高さ及び傾きを調整することができる。
【００２３】
以上のように本実施例においては、ガイドシャフト４の支持部１０は、ガイド壁１２Ａ,１２Ｂとストッパ部１３との間にフック部１４を配置し、そのフック部１４と対向する位置にガイドシャフト４を調整ねじ２０に押し付けるコイルバネ２１を設けることによって、支持部１０、コイルバネ２１を含むガイドシャフト４の保持機構２５を極めてコンパクトに纏めることができる。これにより、駆動系ユニット８などが周辺に組み付けられ、取付けスペースに余裕のない部分にも支持部１０を取り付けることができ、駆動系ユニット８の周辺機器を避けて支持部１０を配置する必要もないことから、ガイドシャフト４の長さを伸ばすなどといった対策も不要である。また、シャーシ１における保持機構２５の占有スペースを低減することができるため、装置全体を小型化することが可能となる。
【００２４】
また、ガイド壁１２Ａ,１２Ｂの間にガイドシャフト４を挿入する際、ガイドシャフト４と当接するフック部１４のテーパ面１５にコイルバネ２１の掛け止め部２１Ａを受け入れる案内溝１６を形成することによって、ガイドシャフト４とシャーシ１に架設するコイルバネ２１をフック部１４と対向した位置に正確に合わせることができるとともに、案内溝１６内にコイルバネ２１の掛け止め部２１Ａが配置されるため、コイルバネ２１の掛け止め部２１Ａにはフック部１４からの押圧力が作用しない。これにより、コイルバネ２１の掛け止め部２１Ａがずれてガイドシャフト４が外れることもないため、ガイドシャフト４を効率的に組み付けることができ、その組付作業性を高めることができる。
【００２５】
以上、本発明の一実施例について詳述したが、本発明は前記一実施例に限定されるものではなく、本発明の要旨の範囲内で種々の変形実施が可能である。例えば、前記実施例においては、シャーシ１の一端外縁に沿って配置したガイドシャフト５の端部を支持部１０１によって支持した例を示したがガイドシャフト４と同様、支持部１０によって支持してもよい。また、ガイドシャフト４を支持する支持部１０における構成各部の位置関係や形状といった基本的構造は前記実施例に限定されるものはなく、適宜選定すればよいものである。さらに、前記実施例では、ディスク装置に適用した場合を例にして説明したが、種々の電子機器に用いるガイドシャフトに広く適用可能である。
【図面の簡単な説明】
【００２６】
【図１】本発明のガイドシャフト保持機構を示す斜視図である。
【図２】同上、ガイドシャフト保持機構の平面図である。
【図３】同上、図３は図２のＡ−Ａ線断面図である。
【図４】同上、ガイドシャフトを組み込んだ全体平面図である。
【図５】従来のガイドシャフト保持機構を示す斜視図である。
【符号の説明】
【００２７】
１  シャーシ
３  ピックアップ
４,５  ガイドシャフト
１０  支持部
１２Ａ,１２Ｂ  ガイド壁
１３  ストッパ部
１４  フック部
１６  案内溝
２０  調整ねじ
２１  コイルバネ
２１Ａ  掛け止め部
２２  係止片
２５  保持機構
【図１】
2006155781.tif 000003
【図２】
2006155781.tif 000004
【図３】
2006155781.tif 000005
【図４】
2006155781.tif 000006
【図５】
2006155781.tif 000007